(57)【要約】    使用に手で持たなく、使いやすい肩・背部マッサージ器を提供する。肩・背部マッサージ器は支持本体を含んでいる。前記支持本体は、配重部及びマッサージ部を含んでいる。前記配重部及び前記マッサージ部は、肩部に掛かるように肩部の前後両側に配置されている。前記マッサージ部はマッサージ装置を有している。前記配重部は配重体を有している。前記配重体は前記マッサージ装置を平衡するように用いられている。
2012500675.tif 000002
【特許請求の範囲】
【請求項１】
支持本体を含み、
前記支持本体は、配重部及びマッサージ部を含み、
前記配重部及び前記マッサージ部は、互いに分離して肩部に掛かるように肩部の前後両側に配置され、
前記マッサージ部はマッサージ装置を有し、
前記配重部は配重体を有し、
前記配重体は前記マッサージ装置を平衡するように用いられた肩・背部マッサージ器。
【請求項２】
前記支持本体は"Ｖ"形、"Ｕ"形、半環形、弧形又は環形であり、
前記配重部は前記支持本体の両側部に位置し、
前記マッサージ部は前記支持本体の根部に位置し、
前記支持本体は一体式の構造体又は互いに独立した二つの部分から組み合わせて形成される請求項１に記載の肩・背部マッサージ器。
【請求項３】
前記支持本体は前片及び後片を含み
前記前片と前記後片との間は縁部によって直接的に接続され、又はテーピング接続され、
前記配重体及び前記マッサージ装置は、前記前片と前記後片との間に形成された空間に配置され、
前記前片及び前記後片の形状は、"Ｖ"形、"Ｕ"形、半環形、弧形又は環形である請求項２に記載の肩・背部マッサージ器。
【請求項４】
前記前片及び前記後片の間に、前記前片及び前記後片の間に形成された空間を開放/密封するように用いる接合装置が配置された請求項３に記載の肩・背部マッサージ器。
【請求項５】
前記前片及び前記後片の間に、配重体取付片が固定設置されている請求項３に記載の肩・背部マッサージ器。
【請求項６】
前記配重体は密封された配重袋であり、
前記配重袋に砂、土、ゼラチン、液体、軟シリコンゲル、ゲル、プラスチック、軟シリコーン、ゲルクリーム、金属の一種又は数種が添加され、
前記配重袋と前記配重体取付片の間に、前記配重袋及び前記配重体取付片を接合するための接合装置を有し、
前記配重袋はそれぞれに前記配重体取付片の両側に位置し、
前記接合装置はボタングループ、ホック、マジック・テープ、接着剤テープ、ジッパ、縫合、日字ボタン、環形ボタンまたは包帯である請求項５に記載の肩・背部マッサージ器。
【請求項７】
前記マッサージ装置は、前記前片及び前記後片の間に形成された空間に配置される少なくとも一つの作動部品と、前記作動部品を駆動する電子回路板と、前記電子回路板に接続され、前記作動部品の作業モードを選択制御するための選択ボタンと、を含む請求項３〜６のいずれか一項に記載の肩・背部マッサージ器。
【請求項８】
前記作動部品は作動部品固定袋の中に設置されて、前記作動部品固定袋の底端及び左右両側は前記後片の内側に縫合されて、且つ前記作動部品固定袋の頂端は接合装置によって前記後片の内側に付着され、
又は前記作動部品固定袋は、前記配重体取付片に縫合されて、且つ前記作動部品固定袋にこの内部空間を開放/密封するように用いる接合装置が配置され、
前記配重体取付片は前記後片の内側に縫合され、又は前記配重体取付片の上端が前記後片の内側に縫合される請求項７に記載の肩・背部マッサージ器。
【請求項９】
前記作動部品は作動部品保護ケースの内に配置されている請求項８に記載の肩・背部マッサージ器。
【請求項１０】
前記電子回路板は電子回路板ケースの中に配置されて、前記電子回路板ケースは固定片に固定されて、前記固定片の頂端は前記後片の内側に縫合されて、前記固定片に前記電子回路板ケースを固定するための接合装置が配置されて、且つ前記接合装置の一端が前記固定片に固定され、且つ前記接合装置の他端が接合装置によって前記固定片に接続され、
又は、前記電子回路板ケースは電子回路板ケース固定袋の内に放置されて、前記電子回路板ケース固定袋は前記配重体取付片に固定されて、且つ前記電子回路板ケース固定袋にこの内部空間を開放/密封するように用いる接合装置を有し、
前記配重体取付片はフルスライス式又は多片式の構造体である請求項７に記載の肩・背部マッサージ器。
【請求項１１】
前記配重部の下端の両側にそれぞれに開孔が設置され、
前記開孔にマッサージ手柄又は中空ガス嚢装置が設置されている請求項１〜６のいずれか一項に記載の肩・背部マッサージ器。
【請求項１２】
前記前片及び前記後片の頂部に頂部材料が縫合され、前記頂部材料は所定の縦向き深さを有し、及び／又は、
前記前片及び前記後片の底部に底部材料が縫合され、
前記底部材料は柔軟な材料及び／又は前記底部材料の内にガス嚢が入れている請求項３に記載の肩・背部マッサージ器。
【請求項１３】
前記肩・背部マッサージ器は更にバンドボタン構造体を含み、
前記バンドボタン構造体は、前記支持本体の内側に設置されたホック、バックル及び弾性バンドを含む請求項１に記載の肩・背部マッサージ器。
【請求項１４】
前記選択ボタン及び前記電子回路板は独立な制御器に配置されて、且つ電気方式又は通信方式を通じて前記マッサージ装置に接続され、又は
前記選択ボタンは前記前片に設置されて、前記制御器の内には選択ボタンブザーを有する請求項７に記載の肩・背部マッサージ器。
【請求項１５】
前記前片及び前記後片の間に、更に耐高温材料及び／又は冷却材料を有する請求項２に記載の肩・背部マッサージ器。
【請求項１６】
前記後片の外側に更に発光体及び／又はマッサージ玉石が設置されている請求項２に記載の肩・背部マッサージ器。
【請求項１７】
前記作動部品は電錘であり、
前記電錘は、底板と、リベットにより前記底板に固定されている継鉄と、前記継鉄と前記底板との間に設置されてコイルを巻き付けたリールと、コアと、前記コアの前端に配置されているマッサージヘッドを含み、
前記コアは、複数の鉄片の組み立てによる一体式の鉄片と、隔パッドと、滑り鉄とを含み、且つ前記隔パッドは隣接の前記鉄片と、前記滑り鉄との間に設置されている請求項７に記載の肩・背部マッサージ器。
【発明の詳細な説明】
【技術分野】
【０００１】
本発明は、マッサージ器に関し、特に使いやすい肩・背部マッサージ器に関するものである。
【背景技術】
【０００２】
従来のマッサージ装置は、通常にたたく方式によって人体に対してマッサージを行って、血液循環を促進し、筋肉をほぐす。
【発明の開示】
【発明が解決しようとする課題】
【０００３】
従来周知のマッサージ装置は、手持ち式マッサージ装置である。前記手持ち地式マッサージ装置を使用する場合、使用者は片手でマッサージ装置を持つとともに、マッサージ装置のマッサージヘッドが患部を向けて、駆動モータ又は電磁石で前記マッサージ装置のマッサージヘッドを駆動することによって、前記マッサージ装置のマッサージヘッドが患部を打撃して、マッサージの作用に達成することができる。しかし、このようなマッサージ装置の使用に、手で持つ必要があるので、使用が不便である。特に、背部に対してマッサージを行う場合、前記手持ち式マッサージ装置を椅子の背部又は床などに緊密的に靠れても使用できる。従って、前記手持ち式マッサージ装置の使用範囲を制限し、且つマッサージ効果も影響されるなど課題もある。
【課題を解決するための手段】
【０００４】
従って、前記課題を解決するために、本発明は、使用に手で持たなく、使いやすい肩・背部マッサージ器を提供する。
【０００５】
前記課題を解決するために、本発明にあっては採用する解決手段は、支持本体を含む肩・背部マッサージ器において、前記支持本体は、配重部及びマッサージ部を含み、前記配重部及び前記マッサージ部は肩部に掛けて互いに分離するように肩部の前後両側に位置し、
【０００６】
前記マッサージ部にマッサージ装置は配置され、前記配重部に配重体は配置され、前記配重体は前記マッサージ装置を平衡するように用いられる。
【０００７】
本発明の肩・背部マッサージ器において、前記支持本体は"Ｖ"形、"Ｕ" 形、半環形、弧形又は環形であり、前記配重部は前記支持本体の両側部に位置し、前記マッサージ部は前記支持本体の根部に位置する。
【０００８】
前記支持本体は、一体式構造体又は互いに独立した二つの部分は組み合わせて形成されている。
【０００９】
本発明の肩・背部マッサージ器において、前片及び後片の間に前記支持本体は更に縁部によって直接的に接続され、又はラッピング（taping）接続され、前記配重体及び前記マッサージ装置は、前記前片及び前記後片の間に形成された空間に配置され、
【００１０】
前記前片及び前記後片の形状は、"Ｖ"片、"Ｕ"形、半環形、弧形又は環形である。
【００１１】
本発明の肩・背部マッサージ器において、前記前片及び前記後片の間に、前記前片及び前記後片の間に形成された空間を開放/密封するように用いる接合装置が配置され、該接合装置はジッパ、ホック又はマジック・テープなどである。
【００１２】
本発明の肩・背部マッサージ器において、前記前片及び前記後片の間に、配重体取付片が固定設置されている。
【００１３】
本発明の肩・背部マッサージ器において、前記配重体は密封な配重袋からなり、前記配重袋に砂、土、ゼラチン、液体（例えば水）、軟シリコンゲル及びゼリー制剤の一種又は数種が添加され、前記配重袋と前記配重体取付片の間に、前記配重袋及び前記配重体取付片を接続するための接合装置を有し、前記配重袋はそれぞれに前記配重体取付片の両側に位置される。前記接合装置はボタングループ、ホック、マジック・テープ、接着剤テープ、ジッパ、縫合、日字ボタン、環形ボタン或は包帯である。
【００１４】
本発明の肩・背部マッサージ器において、前記マッサージ装置は、前記前片及び前記後片の間に形成された空間に配置されるマッサージ作動部品と、前記マッサージ作動部品を駆動する電子回路板と、前記電子回路板に接続し且つ前記マッサージ作動部品の作業モードを選択制御するための選択キーボタンと、含む。
【００１５】
本発明の肩・背部マッサージ器において、前記マッサージ作動部品はマッサージ作動部品固定袋の中に設置され、前記マッサージ作動部品固定袋の底端及び左右両側が前記後片の内側に縫合されていり、前記マッサージ作動部品固定袋の頂端が接合装置を通じて前記後片の内側に付着され、
【００１６】
又は前記マッサージ作動部品固定袋は、前記配重体取付片に縫合されていり、且つ前記マッサージ作動部品固定袋にこの内部空間を開放/密封するように用いる接合装置が配置されていり、
【００１７】
前記配重体取付片は前記後片の内側に縫合され、又は前記配重体取付片の上端が前記後片の内側に縫合される。
【００１８】
本発明の肩・背部マッサージ器において、前記マッサージ作動部品はマッサージ作動部品保護ケースの内に配置されている。
【００１９】
本発明の肩・背部マッサージ器において、前記電子回路板は電子回路板ケースの内に取り付け、前記電子回路板ケースが固定片に固定され、前記固定片の頂端は前記後片の内側に縫合され、前記固定片に前記電子回路板ケースを固定するための接合装置が配置されていり、前記接合装置の一端が前記固定片に固定し、前記接合装置の他端が前記接合装置を通じて前記固定片に接続され、
【００２０】
或は、前記電子回路板ケースは、電子回路板ケース固定袋の内に放置され、前記電子回路板ケース固定袋が前記配重体取付片に固定され、前記電子回路板ケース固定袋にこの内部空間を開放/密封するように用いる接合装置が配置されていり、
【００２１】
前記配重体取付片はフルスライス式又は多片式の構造体である。
【００２２】
本発明の肩・背部マッサージ器において、前記配重部の下端の両側にそれぞれ開孔が設置されていり、前記開孔にマッサージ手持柄又は中空ガス嚢装置が設置される。
【００２３】
本発明の肩・背部マッサージ器において、前記前片及び前記後片の頂部に頂部材料が縫合されていり、前記頂部材料は所定の縦向き深さを有し；及び／又は、
前記前片及び前記後片の底部に底部材料が縫合されていり、前記底部材料は柔軟な材料及び／又は前記底部材料の内にガス嚢が入れている。
【００２４】
本発明の肩・背部マッサージ器において、前記肩・背部マッサージ器は更にバンドボタン構造体を含み、前記バンドボタン構造体は、前記支持本体の内側に設置されたホック、バックル及び弾性バンドを含む。
【００２５】
本発明の肩・背部マッサージ器において、前記選択キーボタン及び前記電子回路板は独立な制御器に取り付け、且つ電気方式又は通信方式を通じて前記マッサージ装置に接続され、又は前記選択キーボタンは前記前片に設置される。
【００２６】
本発明の肩・背部マッサージ器において、前記前片及び前記後片の間に、耐高温材料及び／又は冷却材料又は装置が設置され、前記後片の外側に更に発光体（例えば灯り）及び／又はマッサージ玉石が設置されている。
【発明の効果】
【００２７】
本発明を実施することが以下の優れた点を有する。支持本体が肩部の前後両側に掛け、且つ配重体を利用してマッサージ装置の重力を平衡するので、肩・背部マッサージ器が全部で使用者の肩部に掛ける。肩・背部マッサージ器を使用する場合、使用者は手でマッサージ器を持つ必要がないので、使用が便利にする利点がある。
【図面の簡単な説明】
【００２８】
以下、実施の形態及び図面に基づき、本発明を更に説明する。
【図１】本発明肩・背部マッサージ器の第１実施形態に係る構造を示す分解立体図である。
【図２】本発明肩・背部マッサージ器の後片を省略した構造を示す立体図である。
【図３】本発明肩・背部マッサージ器の組み合わせた正面立体図である。
【図４】本発明肩・背部マッサージ器の後片を取付けた構造を示す断面図である。
【図５】本発明肩・背部マッサージ器の電動金槌の分解立体図である。
【図６】本発明肩・背部マッサージ器で腰部をたたく使用状態を示す図である。
【図７】本発明肩・背部マッサージ器で背部をたたく使用状態を示す図である。
【図８】本発明肩・背部マッサージ器で肩部をたたく使用状態を示す図である。
【図９】本発明肩・背部マッサージ器の使用状態を示す正視図である。
【図９Ｂ】本発明肩・背部マッサージ器の使用状態を示す側視図である。
【図１０】本発明肩・背部マッサージ器の第２実施形態に係る構造を示す分解立体図である。
【図１１】本発明肩・背部マッサージ器の第２実施形態の後片を取付けた構造を示す断面図である。
【図１２】本発明に係る肩・背部マッサージ器のマッサージ作動部品取付袋の一つの形式を示す図である。
【図１３】本発明肩・背部マッサージ器のマッサージ作動部品取付袋の一つの形式を示す図である。
【図１４】本発明肩・背部マッサージ器の第３実施形態の後片を取付けた構造を示す断面図である。
【図１５】本発明肩・背部マッサージ器の第４実施形態の構造を示す正視図である。
【図１６】本発明肩・背部マッサージ器の第５実施形態に係るを示す分解立体図である。
【図１７】本発明肩・背部マッサージ器の第５実施形態に係る構造を示す正視図である。
【図１８】本発明肩・背部マッサージ器の第５実施形態に係る構造を示す後視図である。
【図１９】本発明肩・背部マッサージ器の第６実施形態に係る一つの構造を示す後視図である。
【図１９Ｂ】本発明肩・背部マッサージ器の第６実施形態に係るもう一つの構造を示す図である。
【図２０】本発明肩・背部マッサージ器の第６実施形態に係る構造の使用状態を示す図である。
【図２１】本発明肩・背部マッサージ器の第７実施形態に係る構造を示す正視図である。
【図２２】本発明肩・背部マッサージ器の第８実施形態に係る構造を示す正視図である。
【図２３】本発明肩・背部マッサージ器の第９実施形態に係る構造を示す正視図である。
【図２４】本発明肩・背部マッサージ器の第１０実施形態に係る構造を示す正視図である。
【図２５】本発明肩・背部マッサージ器の第１１実施形態に係る構造を示す後視図である。
【発明を実施するための形態】
【００２９】
図１から図９、９Ｂまでに示すように、これは本発明肩・背部マッサージ器の第１実施例である。肩・背部マッサージ器は、支持本体が含む。支持本体は、使用者の肩部に跨られ、それぞれ使用者の肩部の両側に配置されている配重体及びマッサージ部を含む。前記マッサージ部にマッサージ装置が設置され、使用者の背に対してマッサージを行う。前記配重体の重さは、マッサージ装置の重量と一致するように、マッサージ装置の重量を均衡させるでき、使用者の肩に自然な掛けることができ、使用者はマッサージを持つ必要がないで、使用が便利にする利点がある。
【００３０】
本実施例において、前記支持本体は大体に"Ｖ"形を呈して、前記配重体は前記"Ｖ"形支持本体の両側部であり、前記マッサージ部は前記"Ｖ"形支持本体の曲る部であり、従って前記配重体が使用者の両肩に分離状態で掛けて、前記マッサージ部が自然に使用者の背に落ちる。
【００３１】
前記支持本体は、"Ｖ"形な前片１及び後片４からなることができる。例えば図１に示しように、この後片４が凹型（溝状）になり、前記前片１及び後片４の縁部から縫合するにより、両者の間に配置空間を形成する。前記配置空間の"Ｖ"形側部に配重体の取付け部が形成してにより、前記配重体及びマッサージを取付ける。も地論、前記前片１と後片４の縁部が完全的に縫合しなく、この縫合しない位置にジッパ（ｚｉｐ）５を設置して、前片１と後片４の間の空間を開放し、或は密封する。操作を便利にするために、前記ジッパ（ｚｉｐ）５は前記前片１と後片４の"ｖ"形の曲折部に設置されることにより、前記マッサージ装置と配重体９を取り付けします。勿論、前記ジッパ（ｚｉｐ）５はその他の接合装置からも代替することができ、例えば、前記接合装置はボタングループ、ホック（留め金）、マジック・テープ（ベルクロ（Ｖｅｌｃｒｏ））、接着剤テープ、ジッパ、縫合、日字ボタン、環形ボタンあるいは包帯などから代替することができる。
【００３２】
前記支持本体の前片１と後片４の形状はその他の形状であることができる、例えば、"Ｕ"形、半環形、アーチ形、或は環形などからのであって、使用者の肩部に掛けさえすれば良いことがである。前記前片１と後片４の材料が布、レザーアーマー（ｌｅａｔｈｅｒ ａｒｍｏｒ）、皮革などからなる。前記前片１と後片４は縁部によって直接的に接続し、例えば縫合し、超音波積層しなど、又は前記前片１と後片４は縁部によってラッピングオーバーラッピング（ｏｖｅｒｌａｐｐｉｎｇ）接続することができる、即ち前片及び後片の縁部を共通にオーバーラッピング（ｏｖｅｒｌａｐｐｉｎｇ）実施後、更に縫合し、超音波積層するなどことができる。
【００３３】
前記配重体９が前片１に取付けことが便利にするために、"Ｖ"形な配重体取付片が設置されている。前記配重体取付片の両端部の縁部はそれぞれ前記前片及び前記後片の縁部と縫合して、前記配重体取付片の根部は縫合しないので、配重体の装入することが便利させる。この実施例で、前記配重体９は配重袋を選んで取れて、前記配重袋と前記配重体取付片は互いに配合するためのボタングループが設置され、且つ、前記配重袋が二つである、それぞれ前記"Ｖ"形な配重体取付片の両端部に取り付けしました。もちろん、前記配重袋の内部に配重材料をフィリングすることができる、例えば砂、土、ゼラチン、液体（例えば、水）、軟シリコンゲル、ゲル、プラスチック、軟シリコーン、ゲルクリーム、金属などの配重材料である。前記配重体取付片は前記前片１及び前記後片４との間に接合装置によって接続され、前記接合装置はボタングループ、ホック（留め金）、マジック・テープ（ベルクロ（Ｖｅｌｃｒｏ））、接着テープ、ジッパ、縫合、日字ボタン、環形ボタンあるいは包帯などである。前記配重体取付片の形状はその他の形状の物である。
【００３４】
前記配重体と前片１との間にフォームラバークッション（ｆｏａｍ〜ｒｕｂｂｅｒ ｃｕｓｈｉｏｎ）が設置されてにより、緩冲や遮音などの作用に達成することができ、且つ前記マッサージ器を柔らかい効果に達成することができる。
【００３５】
前記マッサージ装置はマッサージ作動部品１１と、前記マッサージ作動部品１１を制御する電子回路板と、前記電子回路板に接続した選択キーボタンと、含む。前記選択キーボタン１５に対して操作の提示とした選択キーボタンブザーが設置される。前記選択キーボタンブザーは前記電子回路板ケースに取付けるが、独立な制御器に取り付けてもいいでした。本実施例で、前記マッサージ作動部品１１は電錘である。もちろん、前記マッサージ作動部品１１はその他のマッサージ部品がいいです。前記マッサージ作動部品は前記前片１と後片４との間の配置空間に取り付けで、前記選択キーボタン１５の電子回路板１７は後ケース１８により前記前片１の内側に取り付けて、前記選択キーボタン１５は前ケース１６により前記前片１の外側に暴露して、従って使用者は易いに操作し、前記マッサージ作動部品１１のワーキングモデルを制御させる。また、前記選択キーボタン１５の前ケース１６の外側に鏡面設置してもによって、装冪の作用に達成することができる。前記選択キーボタン１５の前ケース１６及び後ケース１８はネジにより安定な接続される。前記選択キーボタン１５の電子回路板１７はキーストローク導線２０により電子回路板と接続される。更に、前記前片１の外側に数字表示管などの表示装置をさらに取付けるので、ワーキングの時間やモデルなどパラメーターが表示することができる。前記キーストローク１５によって、自動モデル、手動モデル、ワーキングの時間又は強度などを選択することができる。
【００３６】
図４の示しように、前記電錘１１はマッサージ作動部品取付袋６内に配置され、マッサージ作動部品の取付袋６が後片４の内側に取付け、且つ"Ｖ"形の根部に位置して、前記電錘１１はマッサージ作動部品の取付袋６でたたくして、マッサージの作用に達成することができる。前記マッサージ作動部品の取付袋６の底部と左右両側の縁部は前記後片４の内側と縫合され、半開口の状態で袋体が形成された。前記電錘１１はこの袋体に取付けた後に、ホック、リベット、縫合、或いジッパなど接合装置で密封する。組み立てる時に、前記マッサージ作動部品１１を前記袋体に入れ又は取付けて、二つのマッサージ作動部品１１の間に隔パッド（例えば、クッション皮革パッド、棉など）が設置されて、前記二つのマッサージ作動部品２４の間に衝突が発生することを防止し、安全や遮音などの作用に達成することができる。前記マッサージ作動部品取付袋６内に導線孔が形成され、前記導線を通過させ、前記マッサージ作動部品に作業電源が提供することができる。前記マッサージ作動部品取付袋６は前記配重体取付片３と前記後片４の間に設置するので、前記マッサージ作動部品取付袋６が前記配重体取付片３と前記後片４のいずれか一つに取付けことができる。
【００３７】
前記電子回路板の取付けことを便利にするために、本実施例で、前記電子回路板を電子回路板ケースの内に取付けた後前記電子回路板ケースを取付片７に取付ける。前記取付片７の上端は前記後片４の内側に縫合され、且つ前記取付片７に電子回路板ケース１２を縛るための弾力帯が設置され、前記弾力帯の一つの端部が前記取付片７に付着し、その他の端部がマジック・テープで前記取付片７と接続される。もちろん、前記弾力帯はその他の接合装置からも代替することができ、例えば、前記接合装置はボタングループ、ホック（留め金）、マジック・テープ、接着剤テープ、ジッパ、縫合、日字ボタン、環形ボタンあるいは包帯などから代替することができる。更に、前記電子回路板ケース１２に穿孔が形成され、前記弾力帯８を通過させにより前記電子回路板ケース１２を縛ることができる。
【００３８】
組み立てる場合、前記電子回路板ケース１２を前記弾力帯８の位置に置いた後、前記弾力帯８で前記電子回路板ケース１２を押させの同時に、前記マジック・テープを接着することにより、前記電子回路板ケース１２を取付片７に取付ける。本実施例において、前記電子回路板ケース１２は前記マッサージ作動部品の上方に位置され、両者が電気的に接続することが便利にする。もちろん、前記電子回路板はマッサージ作動部品導線や連続器などにより前記マッサージ作動部品に電気的に接続することができる。前記選択キーボタン１５によって、前記電子回路板を触発することにより、前記マッサージ作動部品の作業周波数や強度や周期などを制御して、異なる作業モードを得ることができる。前記マッサージ作動部品取付袋６は前記配重体取付片３と前記後片４の間に設置するので、前記マッサージ作動部品取付袋６が前記配重体取付片３と前記後片４のいずれか一つを取付けることができる。
【００３９】
更に、前記配重体の下端にも開孔が設置して、この開孔に手持柄が掛けて、使用者は手持ちことが便利にさせる。前記手持柄の表面に多くのマッサージ突起が設置され、マッサージ手持柄は形成され、マッサージ作用に達成する。前記手持柄はその他の中空ガス嚢装置から代替することができる。
【００４０】
図５の示しように、前記電錘１１の具体的な実施例であって、然し本発明はその他の作動部品を使用ことが制限しない。前記電錘１１は、底板２４と、リベット２２により底板２４に固定されている継鉄３９と、継鉄３９と底板２４との間に設置されてコイル４２を巻き付けたリールと、コアと、前記コアの前端に配置されているマッサージヘッド４０を含みている。継鉄３９と、リールと、底板２４にそれぞれに貫通孔が設置されている。これにより、コアとマッサージヘッド４０がこの貫通孔に往復運動して、叩きのマッサージ機能を実現することができる。このコアは底板２４にから、順に円形の鉄片２３と、方形の織物２５と、円形の鉄片２８と、円形の織物２９と、滑り鉄３０と、方形の織物３２と、滑り鉄３３と、円形の織物３４と、円形の鉄片３５と、円形の織物３６と、円形の鉄片３７と、円形の織物３８と、を有する。マッサージヘッド４０は円形の織物３８側に位置している。また、円形の鉄片２３と、方形の織物２５と、円形の鉄片２８と、円形の織物２９と、滑り鉄３０と、方形の織物３２と、滑り鉄３３と、円形の織物３４と、円形の鉄片３５と、円形の織物３６と、円形の鉄片３７と、円形の織物３８とに、それぞれに穿孔が設置されている。螺子２１がこの穿孔を貫通している。螺子２１の一端はナット４１に締結されている。以上のように、コアとマッサージヘッド４０と一体になる。鉄片と滑り鉄の間に織物を配置のは、効率的にコアの操作時の騒音を減らしできる。また、所望により、鉄片と滑り鉄の量の増加または減少により、コアの重さを調整できる。マッサージヘッド４０の材料は軟シリコンゲル、プラスチックなどでよい。肩・背部マッサージ器を使用する場合には、コイル４２への電力を供給または遮断して、コアを吸い付ける。これにより、マッサージヘッド４０が往復運動して、叩きのマッサージ機能を実現することができる。さらに、作動部品のコイルには、過熱防止装置を設置してもよい。
【００４１】
使用する場合、前記支持本体を使用者の肩部に掛けて、前記配重体が使用者の前面に位置し、前記マッサージ部が使用者の背面に位置し、且つ実際の需要に基づいて前記マッサージ部の位置を調整して、腰部、背部、或は肩部をマッサージすることができ、図６〜８に示すように。正面で、図９に示しように、使用者が手柄１０を握ることによって、手をマッサージする。前記手柄は、配重体の一部とすることができる。
【００４２】
図１０及び１１に示すように、これは本発明肩・背部マッサージ器の第２実施例である。本実施例で、配重体取付片１０２の縁部は、後片１０１と縫合して、後片１０１の内側に位置する。配重体取付片１０２の根部に分離したの作動部品取付袋１０３及び電子回路板ケース取付袋１０４を設けられて、それぞれ作動部品１０５及び電子回路板ケース１０６を取付けることに使用する。
【００４３】
二つのマッサージ作動部品１０５を使用することができ、それに対応してマッサージ作動部品取付袋１０３は独立な二つの取付袋であり、図１２に示すように；またマッサージ作動部品取付袋１０３は一体の取付袋であることができ、この場合、中間位置に隔離帯を設置してそれを独立な二つの空間に分離し、図１３に示すように、該隔離帯は布片、海綿、弾性パッドなど材料からなる。マッサージ作動部品１０５が作業振動してマッサージ作動部品取付袋１０３を磨損することを防止するために、マッサージ作動部品１０５を作動部品ケース１０７に入れて、再びに作動部品ケース１０７をマッサージ作動部品取付袋１０３に入れる。導線を便利的に通過するために、作動部品ケース１０７に引線穿孔を設置し、引線穿孔の円周に磨損を防止するための金属環が設置される。作動部品ケース１０７は、例えば軟シリコンゲル、硬質プラスチック、泡沫プラスチックなどの硬度が低い材料からなる。前記マッサージ作動部品取付袋１０３及び電子回路板ケース取付袋１０４に全てジッパ１０８が配置されていり、マッサージ作動部品１０５及び電気回路板ケースの取り付けが便利にする。ジッパ１０８を例えばボタン、ホックなどの他の接続装置によって取って代わることができる。
【００４４】
マッサージ作動部品取付袋１０３及び電子回路板ケース取付袋１０４にそれぞれ導線を穿過するための開孔が設置されていり、導線は開孔を通じて電子回路板ケース１０６とマッサージ作動部品１０５の電気的に接続することを実現させる。開孔に金属環が設置されることにより、マッサージ作動部品１０５は作業する場合導線に対した摩損を防止でき、且つ導線をより集まって、導線は雑然分布することを避ける。後片に開孔が設置されて、導線などの引出しに有利し、開孔の円周に金属環が設置されることができる。
【００４５】
配重体１０９は"Ｖ"形配重体取付片１０２の二つの末端に取り付けり、配重体１０９の上部に、マッサージ作動部品取付袋１０３及び電子回路板ケース取付袋１０４の内側に防火棉１１０は配置されることにより、良好な断熱役割を果たす。且つ、配重体１０９及び防火棉１１０を同じ平面に位置させて、添平作用にして、産品の構造を更に合理化させる。該防火棉１１０はその他の耐高温材料又は冷却材料又は装置を選用することができる。本実施例の他の構造は、以上に掲示された実施例１に本質的に同じであるので、ここで贅言をしない。
【００４６】
図１４に示すように、これは本発明肩・背部マッサージ器の第３実施例である。これは、以上に述べる実施例２と比べて、次の異なる点がある。本実施例において、配重体取付片の縁部を後片２０４に縫合し、且つ後片２０４の内側に位置させる。配重体取付片の上部に、後片２０４の頂部に固定片２０３は縫合されていり、固定片２０３にマッサージ作動部品取付袋２０５及び電子回路板ケース取付袋２０６は設置されていり、それぞれマッサージ作動部品２０１都電子回路板ケース２０２を取り付けるために用いる。このような取付構造はマッサージ作動部品に対してより大きい作動許可量を提供して、よりよいマッサージ効果を得ることができる。マッサージ作動部品２０１及び電子回路板ケース２０２の固定方式、その他の構造が本質的に類似であるので、ここで贅言をしない。
【００４７】
図１５に示すように、これは本発明肩・背部マッサージ器の第４実施例である。これは、以上に述べる実施例と比べて、次の異なる点がある。本実施例において、支持本体３０１は、互いに分離する独立な両部分から組み合わせて形成された"Ｖ"形、中間位置に縫合して形成された一体構造体である。これに対応して、独立な二つのマッサージ作動部品取付袋３０２はそれぞれ分離して固定される。本実施例の前記構造は以上の何れか一つの実施例に用いることができる。
【００４８】
図１６から図１８までに示すように、これは本発明肩・背部マッサージ器の第５実施例である。前片４０１及び後片４０２の頂部に頂部材料４０３が縫合されていり、前記頂部材料４０３は所定の縦向き深さを有するので、前片４０１及び後片４０２の間の内部空間を増加させる。従って所定の厚さを有するマッサージ作動部品などを前片４０１及び後片４０２の内部に直接的に縫合することにより、変形、呼び起こすことを防止できる。更に、該頂部材料４０３に放射開口４０４を設置することができる。これによりマッサージ作動部品、電気回路板が作業する場合に生じる熱量を放射する。
【００４９】
前記前片４０１及び前記後片４０２の"Ｖ"形底部に底部材料４０５が縫合されていり、前記底部材料は柔軟な皮革、布料などである。更に底部材料４０５の内にガス嚢が入れて、頚部マッサージの役割を果たす。後布片の内側、マッサージ作動部品に対応する位置に更に防摩パッド４０６を設置されて、摩損を防止作用にする。
【００５０】
本実施例の以上に述べる構造は別々に使用でき、また同時に使用することができる。且つ、以上に述べる各々の実施例に応用することができる。
【００５１】
図１９及び２０に示すように、これは本発明肩・背部マッサージ器の第６実施例である。前記肩・背部マッサージ器の後片５０１の内側に更にバンドボタン構造体が設置されている。前記バンドボタン構造体は、前記肩・背部マッサージ器の全部を使用者の体に結び付けることに用いる。該バンドボタン構造体は、それぞれ"Ｖ"形後片５０１の二つの末端に設置された公スナップ５０２及び母スナップ５０３を含み、前記公スナップ５０２及び母スナップ５０３を掛けることにより、前記"Ｖ"形後片５０１の二つの末端を引き締める。
【００５２】
前記バンドボタン構造体は、更に"Ｖ"形後片５０１の根部に配置されたバックル５０４、及びバックル５０４の末端を通して、マジック・テープ５０５などによって"Ｖ"形後片５０１の末端に固定された弾性バンド５０６、を含む。使用する場合、弾性バンド５０６を使用者の背部に掛けて、肩・背部マッサージ器の全部を使用者の体に結び付ける。図２０に示すように、使用者は手でマッサージ器を持つ必要がなく、手が空けて、使用が便利にする。
【００５３】
前記バンドボタン構造体には、ただ公スナップ５０２及び母スナップ５０３を設置することができる。前記公スナップ５０２及び母スナップ５０３を掛けることにより、前記"Ｖ"形後片５０１の二つの末端を引き締める（図１９Ｂに示すように）。勿論、前記バンドボタン構造体の位置を任意的に調整し、又は他の方式を採用することができる。且つ、本実施例の前記構造は以上の何れか一つの実施例に用いることができる。
【００５４】
図２１に示すように、これは本発明肩・背部マッサージ器の第7実施例である。それは、上に述べる実施例と比べて、次の異なる点がある。キーボタン回路板は独立な制御器６０１に配置され、導線６０２を通じて肩・背部マッサージ器の電子回路板に電気的に接続して、マッサージ作動部品を制御する。肩・背部マッサージ器の電気回路板の机能（例えば変圧、制御等）は直接的に該制御器６０１に実現することができ、しかし肩・背部マッサージ器にただ接続回路を設置すればよい。従って安全性能を提供する。且つ制御器６０１にキーボタン以外にデスプレイ６０３を設置することができる。該デスプレイ６０３は操作情報、例えば、作業モード、作業時間、余り時間、強度などを表示することに用いる。本実施例の他の構造は、以上に掲示された実施例に本質的に同じ、即ちここで贅言をしない。
【００５５】
図２２に示すように、これは本発明肩・背部マッサージ器の第8実施例である。これは、以上に述べる実施例と比べて、次の異なる点がある。キーボタン回路板は独立な制御器２２に配置され、且つ該独立な制御器及び肩・背部マッサージ器の電子回路板にリモート・コントロール発射受理装置が設置される。例えば赤外線リモコン、ブルートゥースリモコンなどで、無線形式によって制御し、使用が便利にする。本実施例の他の構造は、以上に掲示された実施例に本質的に同じ、即ちここで贅言をしない。
【００５６】
図２３に示すように、これは本発明肩・背部マッサージ器の第９実施例である。これは、以上に述べる実施例１と比べて、次の異なる点がある。キーボタン回路板は前片８０１の内側に設置され、且つ前片のキーボタンに対応するパターン８０２に縫って、キーボタンの外側に暴露することを防止するので、更に立派、実用むきになる。本実施例の他の構造は、以上に掲示された実施例に本質的に同じ、即ちここで贅言をしない。
【００５７】
図２４に示すように、これは本発明肩・背部マッサージ器の第１０実施例である。これは、以上に述べる実施例と比べて、次の異なる点がある。前片９０１及び／又は後片は分片縫合式構造体であり、即ち多片の布片、皮革などを縫合して成型する。勿論、前片及び／又は後片はフルスライス式構造体であることができる。本実施例の他の構造は、以上に掲示された実施例に本質的に同じ、即ちここで贅言をしない。
【００５８】
図２５に示すように、これは本発明肩・背部マッサージ器の第１１実施例である。これの特徴は、後片９０２の内側に発光体９０３及び／又はマッサージ玉石９０４を取り付けていり、発光、発熱、マッサージなど作用を有する。
【００５９】
本発明の以上に掲示された特徴が実際必要によって任意的に組み合わせることができ、前記実施例の組み合わせ形式に制限しない。
【符号の説明】
【００６０】
１、４０１、８０１、９０１  前片
３、１０２  配重体取付片
４、１０１、２０４、４０２、５０１、９０２  後片
５、１０８  ジッパ
６、１０３、２０５、３０２  マッサージ作動部品取付袋
２０３  固定片
７  取付片
８  弾力帯
９、１０９  配重体
１１０  防火棉
１０  手柄
１１、１０５、２０１  マッサージ作動部品
１２、１０６、２０２  電子回路板ケース
１０７  作動部品ケース
１５  選択キーボタン
１６  前ケース
１７  電子回路板
１８  後ケース
３０１  支持本体
４０３  頂部材料
４０４  放射開口
４０５  底部材料
４０６  防摩パッド
５０２  公スナップ
５０３  母スナップ
５０４  バックル
５０５  マジック・テープ
６０１、２２  制御器
６０２  導線
６０３  デスプレイ
８０２  パターン
９０３  発光体
【図１】
2012500675.tif 000003
【図２】
2012500675.tif 000004
【図３】
2012500675.tif 000005
【図４】
2012500675.tif 000006
【図５】
2012500675.tif 000007
【図６】
2012500675.tif 000008
【図７】
2012500675.tif 000009
【図８】
2012500675.tif 000010
【図９】
2012500675.tif 000011
【図９Ｂ】
2012500675.tif 000012
【図１０】
2012500675.tif 000013
【図１１】
2012500675.tif 000014
【図１２】
2012500675.tif 000015
【図１３】
2012500675.tif 000016
【図１４】
2012500675.tif 000017
【図１５】
2012500675.tif 000018
【図１６】
2012500675.tif 000019
【図１７】
2012500675.tif 000020
【図１８】
2012500675.tif 000021
【図１９】
2012500675.tif 000022
【図１９Ｂ】
2012500675.tif 000023
【図２０】
2012500675.tif 000024
【図２１】
2012500675.tif 000025
【図２２】
2012500675.tif 000026
【図２３】
2012500675.tif 000027
【図２４】
2012500675.tif 000028
【図２５】
2012500675.tif 000029
【手続補正書】
【提出日】平成23年2月28日(2011.2.28)
【手続補正１】
【補正対象書類名】明細書
【補正対象項目名】全文
【補正方法】変更
【補正の内容】
【発明の詳細な説明】
【技術分野】
【０００１】
本発明は、マッサージ器に関し、特に使いやすい肩・背部マッサージ器に関するものである。
【背景技術】
【０００２】
従来のマッサージ装置は、通常にたたく方式によって人体に対してマッサージを行って、血液循環を促進し、筋肉をほぐす。
【発明の開示】
【発明が解決しようとする課題】
【０００３】
従来周知のマッサージ装置は、手持ち式マッサージ装置である。前記手持ち地式マッサージ装置を使用する場合、使用者は片手でマッサージ装置を持つとともに、マッサージ装置のマッサージヘッドが患部を向けて、駆動モータ又は電磁石で前記マッサージ装置のマッサージヘッドを駆動することによって、前記マッサージ装置のマッサージヘッドが患部を打撃して、マッサージの作用に達成することができる。しかし、このようなマッサージ装置の使用に、手で持つ必要があるので、使用が不便である。特に、背部に対してマッサージを行う場合、前記手持ち式マッサージ装置を椅子の背部又は床などに緊密的に靠れても使用できる。従って、前記手持ち式マッサージ装置の使用範囲を制限し、且つマッサージ効果も影響されるなど課題もある。
【課題を解決するための手段】
【０００４】
従って、前記課題を解決するために、本発明は、使用に手で持たなく、使いやすい肩・背部マッサージ器を提供する。
【０００５】
前記課題を解決するために、本発明にあっては採用する解決手段は、支持本体を含む肩・背部マッサージ器において、前記支持本体は、配重部及びマッサージ部を含み、前記配重部及び前記マッサージ部は肩部に掛けるように肩部の前後両側に位置し、
【０００６】
前記マッサージ部にマッサージ装置は配置され、前記配重部に配重体は配置され、前記配重体は前記マッサージ装置を平衡するように用いられる。
【０００７】
本発明の肩・背部マッサージ器において、前記支持本体は“Ｖ”形、“Ｕ” 形、半環形、弧形又は環形であり、前記配重部は前記支持本体の両側部であり、前記マッサージ部は前記支持本体の湾曲部にである。
【０００８】
前記支持本体は、一体式構造体又は互いに独立した二つの部分は組み合わせて形成されている。
【０００９】
本発明の肩・背部マッサージ器において、前片及び後片の間に前記支持本体は更に縁部によって直接的に接続され、又はラッピング（taping）接続され、前記配重体及び前記マッサージ装置は、前記前片及び前記後片の間に形成された空間に配置され、
【００１０】
前記前片及び前記後片の形状は、“Ｖ”片、“Ｕ”  形、半環形、弧形又は環形である。
【００１１】
本発明の肩・背部マッサージ器において、前記前片及び前記後片の間に、前記前片及び前記後片の間に形成された空間を開放/密封するように用いる接合装置が配置され、該接合装置はジッパ、ホック又はマジック・テープなどである。
【００１２】
本発明の肩・背部マッサージ器において、前記前片及び前記後片の間に、配重体取付片が固定設置されている。
【００１３】
本発明の肩・背部マッサージ器において、前記配重体は密封な配重袋からなり、前記配重袋に砂、土、ゼラチン、液体（例えば水）、軟シリコンゲル及びゼリー制剤の一種又は数種が添加され、前記配重袋と前記配重体取付片の間に、前記配重袋及び前記配重体取付片を接続するための接合装置を有し、前記配重袋はそれぞれに前記配重体取付片の両側に位置される。前記接合装置はボタングループ、ホック、マジック・テープ、接着剤テープ、ジッパ、縫合、日字ボタン、環形ボタン或は包帯である。
【００１４】
本発明の肩・背部マッサージ器において、前記マッサージ装置は、前記前片及び前記後片の間に形成された空間に配置されるマッサージ作動部品と、前記マッサージ作動部品を駆動する電子回路板と、前記電子回路板に接続し且つ前記マッサージ作動部品の作業モードを選択制御するための選択キーボタンと、含む。
【００１５】
本発明の肩・背部マッサージ器において、前記マッサージ作動部品はマッサージ作動部品固定袋の中に設置され、前記マッサージ作動部品固定袋の縁が前記後片の内側に縫合されていり、前記マッサージ作動部品固定袋の頂端が接合装置を通じて前記後片の内側に付着され、
【００１６】
又は前記マッサージ作動部品固定袋は、前記配重体取付片に縫合されていり、且つ前記マッサージ作動部品固定袋にこの内部空間を開放/密封するように用いる接合装置が配置されていり、
【００１７】
前記配重体取付片は前記後片の内側に縫合され、又は前記配重体取付片の上端が前記後片の内側に縫合される。
【００１８】
本発明の肩・背部マッサージ器において、前記マッサージ作動部品はマッサージ作動部品保護ケースの内に配置されている。
【００１９】
本発明の肩・背部マッサージ器において、前記電子回路板は電子回路板ケースの内に取り付け、前記電子回路板ケースが固定片に設置され、前記固定片は前記前片、前記後片または前記配重体取付片の内側に縫合され、前記固定片に前記電子回路板ケースを固定するための接合装置が配置されていり、前記接合装置の一端が前記固定片に固定し、前記接合装置の他端が前記接合装置を通じて前記固定片に接続され、
【００２０】
或は、前記電子回路板ケースは、電子回路板ケース固定袋の内に放置され、前記電子回路板ケース固定袋が前記配重体取付片に固定され、前記電子回路板ケース固定袋にこの内部空間を開放/密封するように用いる接合装置が配置されていり、
【００２１】
前記配重体取付片はフルスライス式又は多片式の構造体である。
【００２２】
本発明の肩・背部マッサージ器において、前記配重部の下端の両側にそれぞれ開孔が設置されていり、前記開孔にマッサージ手持柄又は中空ガス嚢装置が設置される。
【００２３】
本発明の肩・背部マッサージ器において、前記前片及び前記後片の頂部に頂部材料が縫合されていり、前記頂部材料は所定の縦向き深さを有し；及び／又は、
前記前片及び前記後片の間の底部に底部材料が縫合されていり、前記底部材料は柔軟な材料及び／又は前記底部材料の内にガス嚢が入れている。
【００２４】
本発明の肩・背部マッサージ器において、前記肩・背部マッサージ器は更にバンドボタン構造体を含み、前記バンドボタン構造体は、前記支持本体の内側に設置されたホック、バックル及び弾性バンドを含む。
【００２５】
本発明の肩・背部マッサージ器において、前記選択キーボタン及び前記電子回路板は独立な制御器に取り付け、且つ電気方式又は通信方式を通じて前記マッサージ装置に接続され、又は前記選択キーボタンは前記前片に設置される。
【００２６】
本発明の肩・背部マッサージ器において、前記前片及び前記後片の間に、耐高温材料及び／又は冷却材料又は装置が設置され、前記後片の外側に更に発光体（例えば灯り）及び／又はマッサージ玉石が設置されている。また、前記作動部品は電動金槌であり、前記電動金槌は、底板と、前記底板に固定されている継鉄と、前記継鉄と前記底板との間に設置されてコイルを巻き付けたリールと、コアと、前記コアの前端に配置されているマッサージヘッドを含む。前記コアは、複数の鉄片の組み立てによる一体式の鉄片と、隔パッドと、滑り鉄とを含み、且つ前記隔パッドは隣接の前記鉄片と、前記滑り鉄との間に設置されている。
【発明の効果】
【００２７】
本発明を実施することが以下の優れた点を有する。支持本体が肩部の前後両側に掛け、且つ配重体を利用してマッサージ装置の重力を平衡するので、肩・背部マッサージ器が全部で使用者の肩部に掛ける。肩・背部マッサージ器を使用する場合、使用者は手でマッサージ器を持つ必要がないので、使用が便利にする利点がある。
【図面の簡単な説明】
【００２８】
以下、実施の形態及び図面に基づき、本発明を更に説明する。
【図１】本発明肩・背部マッサージ器の第１実施形態に係る構造を示す分解立体図である。
【図２】本発明肩・背部マッサージ器の後片を省略した構造を示す立体図である。
【図３】本発明肩・背部マッサージ器の組み合わせた正面立体図である。
【図４】本発明肩・背部マッサージ器の後片を取付けた構造を示す断面図である。
【図５】本発明肩・背部マッサージ器の電動金槌の分解立体図である。
【図６】本発明肩・背部マッサージ器で腰部をたたく使用状態を示す図である。
【図７】本発明肩・背部マッサージ器で背部をたたく使用状態を示す図である。
【図８】本発明肩・背部マッサージ器で肩部をたたく使用状態を示す図である。
【図９】本発明肩・背部マッサージ器の使用状態を示す正視図である。
【図９Ｂ】本発明肩・背部マッサージ器の使用状態を示す側視図である。
【図１０】本発明肩・背部マッサージ器の第２実施形態に係る構造を示す分解立体図である。
【図１１】本発明肩・背部マッサージ器の第２実施形態の後片を取付けた構造を示す断面図である。
【図１２】本発明に係る肩・背部マッサージ器のマッサージ作動部品取付袋の一つの形式を示す図である。
【図１３】本発明肩・背部マッサージ器のマッサージ作動部品取付袋の一つの形式を示す図である。
【図１４】本発明肩・背部マッサージ器の第３実施形態の後片を取付けた構造を示す断面図である。
【図１５】本発明肩・背部マッサージ器の第４実施形態の構造を示す正視図である。
【図１６】本発明肩・背部マッサージ器の第５実施形態に係るを示す分解立体図である。
【図１７】本発明肩・背部マッサージ器の第５実施形態に係る構造を示す正視図である。
【図１８】本発明肩・背部マッサージ器の第５実施形態に係る構造を示す後視図である。
【図１９】本発明肩・背部マッサージ器の第６実施形態に係る一つの構造を示す後視図である。
【図１９Ｂ】本発明肩・背部マッサージ器の第６実施形態に係るもう一つの構造を示す図である。
【図２０】本発明肩・背部マッサージ器の第６実施形態に係る構造の使用状態を示す図である。
【図２１】本発明肩・背部マッサージ器の第７実施形態に係る構造を示す正視図である。
【図２２】本発明肩・背部マッサージ器の第８実施形態に係る構造を示す正視図である。
【図２３】本発明肩・背部マッサージ器の第９実施形態に係る構造を示す正視図である。
【図２４】本発明肩・背部マッサージ器の第１０実施形態に係る構造を示す正視図である。
【図２５】本発明肩・背部マッサージ器の第１１実施形態に係る構造を示す後視図である。
【発明を実施するための形態】
【００２９】
図１から図９、９Ｂまでに示すように、これは本発明肩・背部マッサージ器の第１実施例である。肩・背部マッサージ器は、支持本体が含む。支持本体は、使用者の肩部に跨られ、それぞれ使用者の肩部の両側に配置されている配重体及びマッサージ部を含む。前記マッサージ部にマッサージ装置が設置され、使用者の背に対してマッサージを行う。前記配重体の重さは、マッサージ装置の重量と一致するように、マッサージ装置の重量を均衡させるでき、使用者の肩に自然な掛けることができ、使用者はマッサージを持つ必要がないで、使用が便利にする利点がある。
【００３０】
本実施例において、前記支持本体は大体に“Ｖ”形を呈して、前記配重体は前記“Ｖ”形支持本体の両側部であり、前記マッサージ部は前記“Ｖ”形支持本体の曲る部であり、従って前記配重体が使用者の両肩に分離状態で掛けて、前記マッサージ部が自然に使用者の背に落ちる。
【００３１】
前記支持本体は、“Ｖ“形な前片１及び後片４からなることができる。例えば図１に示しように、この後片４が凹型（溝状）になり、前記前片１及び後片４の縁部から縫合するにより、両者の間に配置空間を形成する。前記配置空間の“Ｖ”形側部に配重体の取付け部が形成してにより、前記配重体及びマッサージを取付ける。も地論、前記前片１と後片４の縁部が完全的に縫合しなく、この縫合しない位置にジッパ（ｚｉｐ）５を設置して、前片１と後片４の間の空間を開放し、或は密封する。操作を便利にするために、前記ジッパ（ｚｉｐ）５は前記前片１と後片４の“ｖ”形の曲折部に設置されることにより、前記マッサージ装置と配重体９を取り付けします。勿論、前記ジッパ（ｚｉｐ）５はその他の接合装置からも代替することができ、例えば、前記接合装置はボタングループ、ホック（留め金）、マジック・テープ（ベルクロ（Ｖｅ１ｃｒｏ））、接着剤テープ、ジッパ、縫合、日字ボタン、環形ボタンあるいは包帯などから代替することができる。
【００３２】
前記支持本体の前片１と後片４の形状はその他の形状であることができる、例えば、“Ｕ”形、半環形、アーチ形、或は環形などからのであって、使用者の肩部に掛けさえすれば良いことがである。前記前片１と後片４の材料が布、レザーアーマー（１ｅａｔｈｅｒ ａｒｍｏｒ）、皮革などからなる。前記前片１と後片４は縁部によって直接的に接続し、例えば縫合し、超音波積層しなど、又は前記前片１と後片４は縁部によってラッピングオーバーラッピング（ｏｖｅｒ１ａｐｐｉｎｇ）接続することができる、即ち前片及び後片の縁部を共通にオーバーラッピング（ｏｖｅｒ１ａｐｐｉｎｇ）実施後、更に縫合し、超音波積層するなどことができる。
【００３３】
前記配重体９が前片１に取付けことが便利にするために、“Ｖ”形な配重体取付片が設置されている。前記配重体取付片の両端部の縁部はそれぞれ前記前片及び前記後片の縁部と縫合して、前記配重体取付片の根部は縫合しないので、配重体の装入することが便利させる。この実施例で、前記配重体９は配重袋を選んで取れて、前記配重袋と前記配重体取付片は互いに配合するためのボタングループが設置され、且つ、前記配重袋が二つである、それぞれ前記“Ｖ”形な配重体取付片の両端部に取り付けしました。もちろん、前記配重袋の内部に配重材料をフィリングすることができる、例えば砂、土、ゼラチン、液体（例えば、水）、軟シリコンゲル、ゲル、プラスチック、軟シリコーン、ゲルクリーム、金属などの配重材料である。前記配重体取付片は前記前片１及び前記後片４との間に接合装置によって接続され、前記接合装置はボタングループ、ホック（留め金）、マジック・テープ（ベルクロ（Ｖｅ１ｃｒｏ））、接着テープ、ジッパ、縫合、日字ボタン、環形ボタンあるいは包帯などである。前記配重体取付片の形状はその他の形状の物である。
【００３４】
前記配重体と前片１との間にフォームラバークッション（ｆｏａｍ〜ｒｕｂｂｅｒ ｃｕｓｈｉｏｎ）が設置されてにより、緩冲や遮音などの作用に達成することができ、且つ前記マッサージ器を柔らかい効果に達成することができる。
【００３５】
前記マッサージ装置はマッサージ作動部品１１と、前記マッサージ作動部品１１を制御する電子回路板と、前記電子回路板に接続した選択キーボタンと、含む。前記選択キーボタン１５に対して操作の提示とした選択キーボタンブザーが設置される。前記選択キーボタンブザーは前記電子回路板ケースに取付けるが、独立な制御器に取り付けてもいいでした。本実施例で、前記マッサージ作動部品１１は電動金槌である。もちろん、前記マッサージ作動部品１１はその他のマッサージ部品がいいです。前記マッサージ作動部品は前記前片１と後片４との間の配置空間に取り付けで、前記選択キーボタン１５の電子回路板１７は後ケース１８により前記前片１の内側に取り付けて、前記選択キーボタン１５は前ケース１６により前記前片１の外側に暴露して、従って使用者は易いに操作し、前記マッサージ作動部品１１のワーキングモデルを制御させる。また、前記選択キーボタン１５の前ケース１６の外側に鏡面設置してもによって、装冪の作用に達成することができる。前記選択キーボタン１５の前ケース１６及び後ケース１８はネジにより安定な接続される。前記選択キーボタン１５の電子回路板１７はキーストローク導線２０により電子回路板と接続される。更に、前記前片１の外側に数字表示管などの表示装置をさらに取付けるので、ワーキングの時間やモデルなどパラメーターが表示することができる。前記キーストローク１５によって、自動モデル、手動モデル、ワーキングの時間又は強度などを選択することができる。
【００３６】
図４の示しように、前記電動金槌１１はマッサージ作動部品取付袋６内に配置され、マッサージ作動部品の取付袋６が後片４の内側に取付け、且つ“Ｖ“形の湾曲部に位置して、前記電動金槌１１はマッサージ作動部品の取付袋６でたたくして、マッサージの作用に達成することができる。前記マッサージ作動部品の取付袋６の底部と左右両側の縁部は前記後片４の内側と縫合され、半開口の状態で袋体が形成された。前記電動金槌１１はこの袋体に取付けた後に、ホック、リベット、縫合、或いジッパなど接合装置で密封する。組み立てる時に、前記マッサージ作動部品１１を前記袋体に入れ又は取付けて、二つのマッサージ作動部品１１の間に隔パッド（例えば、クッション皮革パッド、棉など）が設置されて、前記二つのマッサージ作動部品２４の間に衝突が発生することを防止し、安全や遮音などの作用に達成することができる。前記マッサージ作動部品取付袋６内に導線孔が形成され、前記導線を通過させ、前記マッサージ作動部品に作業電源が提供することができる。前記マッサージ作動部品取付袋６は前記配重体取付片３と前記後片４の間に設置するので、前記マッサージ作動部品取付袋６が前記配重体取付片３と前記後片４のいずれか一つに取付けことができる。
【００３７】
前記電子回路板の取付けことを便利にするために、本実施例で、前記電子回路板を電子回路板ケースの内に取付けた後前記電子回路板ケースを取付片７に取付ける。前記取付片７の上端は前記後片４の内側に縫合され、且つ前記取付片７に電子回路板ケース１２を縛るための弾力帯が設置され、前記弾力帯の一つの端部が前記取付片７に付着し、その他の端部がマジック・テープで前記取付片７と接続される。もちろん、前記弾力帯はその他の接合装置からも代替することができ、例えば、前記接合装置はボタングループ、ホック（留め金）、マジック・テープ、接着剤テープ、ジッパ、縫合、日字ボタン、環形ボタンあるいは包帯などから代替することができる。更に、前記電子回路板ケース１２に穿孔が形成され、前記弾力帯８を通過させにより前記電子回路板ケース１２を縛ることができる。
【００３８】
組み立てる場合、前記電子回路板ケース１２を前記弾力帯８の位置に置いた後、前記弾力帯８で前記電子回路板ケース１２を押させの同時に、前記マジック・テープを接着することにより、前記電子回路板ケース１２を取付片７に取付ける。本実施例において、前記電子回路板ケース１２は前記マッサージ作動部品の上方に位置され、両者が電気的に接続することが便利にする。もちろん、前記電子回路板はマッサージ作動部品導線や連続器などにより前記マッサージ作動部品に電気的に接続することができる。前記選択キーボタン１５によって、前記電子回路板を触発することにより、前記マッサージ作動部品の作業周波数や強度や周期などを制御して、異なる作業モードを得ることができる。前記マッサージ作動部品取付袋６は前記配重体取付片３と前記後片４の間に設置するので、前記マッサージ作動部品取付袋６が前記配重体取付片３と前記後片４のいずれか一つを取付けることができる。
【００３９】
更に、前記配重体の下端にも開孔が設置して、この開孔に手持柄が掛けて、使用者は手持ちことが便利にさせる。前記手持柄の表面に多くのマッサージ突起が設置され、マッサージ手持柄は形成され、マッサージ作用に達成する。前記手持柄はその他の中空ガス嚢装置から代替することができる。
【００４０】
図５の示しように、前記電動金槌１１の具体的な実施例であって、然し本発明はその他の作動部品を使用ことが制限しない。前記電動金槌１１は、底板２４と、リベット２２により底板２４に固定されている継鉄３９と、継鉄３９と底板２４との間に設置されてコイル４２を巻き付けたリールと、コアと、前記コアの前端に配置されているマッサージヘッド４０を含みている。継鉄３９と、リールと、底板２４にそれぞれに貫通孔が設置されている。これにより、コアとマッサージヘッド４０がこの貫通孔に往復運動して、叩きのマッサージ機能を実現することができる。このコアは、底板２４にから、順に円形の鉄片２３と、方形の織物２５と、円形の鉄片２８と、円形の織物２９と、滑り鉄３０と、方形の織物３２と、滑り鉄３３と、円形の織物３４と、円形の鉄片３５と、円形の織物３６と、円形の鉄片３７と、円形の織物３８と、を有する。マッサージヘッド４０は円形の織物３８側に位置している。また、円形の鉄片２３と、方形の織物２５と、円形の鉄片２８と、円形の織物２９と、滑り鉄３０と、方形の織物３２と、滑り鉄３３と、円形の織物３４と、円形の鉄片３５と、円形の織物３６と、円形の鉄片３７と、円形の織物３８とに、それぞれに穿孔が設置されている。螺子２１がこの穿孔を貫通している。螺子２１の一端はナット４１に締結されている。以上のように、コアとマッサージヘッド４０と一体になる。鉄片と滑り鉄の間に織物を配置のは、効率的にコアの操作時の騒音を減らしできる。また、所望により、鉄片と滑り鉄の量の増加または減少により、コアの重さを調整できる。マッサージヘッド４０の材料は軟シリコンゲル、プラスチックなどでよい。肩・背部マッサージ器を使用する場合には、コイル４２への電力を供給または遮断して、コイル４２がコアを吸い付ける。これにより、マッサージヘッド４０を往復運動させて、叩きのマッサージ機能を実現することができる。なお、作動部品のコイルには、過熱防止装置を設置してもよい。
【００４１】
使用する場合、前記支持本体を使用者の肩部に掛けて、前記配重体が使用者の前面に位置し、前記マッサージ部が使用者の背面に位置し、且つ実際の需要に基づいて前記マッサージ部の位置を調整して、腰部、背部、或は肩部をマッサージすることができ、図６〜８に示すように。正面で、図９に示しように、使用者が手柄１０を握ることによって、手をマッサージする。前記手柄は、配重体の一部とすることができる。
【００４２】
図１０及び１１に示すように、これは本発明肩・背部マッサージ器の第２実施例である。本実施例で、配重体取付片１０２の縁部は、後片１０１と縫合して、後片１０１の内側に位置する。配重体取付片１０２の湾曲部に分離した作動部品取付袋１０３及び電子回路板ケース取付袋１０４を設けられて、それぞれ作動部品１０５及び電子回路板ケース１０６を取付けることに使用する。
【００４３】
二つのマッサージ作動部品１０５を使用することができ、それに対応してマッサージ作動部品取付袋１０３は独立な二つの取付袋であり、図１２に示すように；またマッサージ作動部品取付袋１０３は一体の取付袋であることができ、この場合、中間位置に隔離帯を設置してそれを独立な二つの空間に分離し、図１３に示すように、該隔離帯は布片、海綿、弾性パッドなど材料からなる。マッサージ作動部品１０５が作業振動してマッサージ作動部品取付袋１０３を磨損することを防止するために、マッサージ作動部品１０５を作動部品ケース１０７に入れて、再びに作動部品ケース１０７をマッサージ作動部品取付袋１０３に入れる。導線を便利的に通過するために、作動部品ケース１０７に引線穿孔を設置し、引線穿孔の円周に磨損を防止するための金属環が設置される。作動部品ケース１０７は、例えば軟シリコンゲル、硬質プラスチック、泡沫プラスチックなどの硬度が低い材料からなる。前記マッサージ作動部品取付袋１０３及び電子回路板ケース取付袋１０４に全てジッパ１０８が配置されていり、マッサージ作動部品１０５及び電気回路板ケースの取り付けが便利にする。ジッパ１０８を例えばボタン、ホックなどの他の接続装置によって取って代わることができる。
【００４４】
マッサージ作動部品取付袋１０３及び電子回路板ケース取付袋１０４にそれぞれ導線を穿過するための開孔が設置されていり、導線は開孔を通じて電子回路板ケース１０６とマッサージ作動部品１０５の電気的に接続することを実現させる。開孔に金属環が設置されることにより、マッサージ作動部品１０５は作業する場合導線に対した摩損を防止でき、且つ導線をより集まって、導線は雑然分布することを避ける。後片に開孔が設置されて、導線などの引出しに有利し、開孔の円周に金属環が設置されることができる。
【００４５】
配重体１０９は“Ｖ”形配重体取付片１０２の二つの末端に取り付けり、配重体１０９の上部に、マッサージ作動部品取付袋１０３及び電子回路板ケース取付袋１０４の内側に防火棉１１０は配置されることにより、良好な断熱役割を果たす。且つ、配重体１０９及び防火棉１１０を同じ平面に位置させて、添平作用にして、産品の構造を更に合理化させる。該防火棉１１０はその他の耐高温材料又は冷却材料又は装置を選用することができる。本実施例の他の構造は、以上に掲示された実施例１に本質的に同じであるので、ここで贅言をしない。
【００４６】
図１４に示すように、これは本発明肩・背部マッサージ器の第３実施例である。これは、以上に述べる実施例２と比べて、次の異なる点がある。本実施例において、配重体取付片の縁部を後片２０４に縫合し、且つ後片２０４の内側に位置させる。配重体取付片の上部に、後片２０４の頂部に固定片２０３は縫合されていり、固定片２０３にマッサージ作動部品取付袋２０５及び電子回路板ケース取付袋２０６は設置されていり、それぞれマッサージ作動部品２０１都電子回路板ケース２０２を取り付けるために用いる。このような取付構造はマッサージ作動部品に対してより大きい作動許可量を提供して、よりよいマッサージ効果を得ることができる。マッサージ作動部品２０１及び電子回路板ケース２０２の固定方式、その他の構造が本質的に類似であるので、ここで贅言をしない。
【００４７】
図１５に示すように、これは本発明肩・背部マッサージ器の第４実施例である。これは、以上に述べる実施例と比べて、次の異なる点がある。本実施例において、支持本体３０１は、互いに分離する独立な両部分から組み合わせて形成された“Ｖ”形、中間位置に縫合して形成された一体構造体である。これに対応して、独立な二つのマッサージ作動部品取付袋３０２はそれぞれ分離して固定される。本実施例の前記構造は以上の何れか一つの実施例に用いることができる。
【００４８】
図１６から図１８までに示すように、これは本発明肩・背部マッサージ器の第５実施例である。前片４０１及び後片４０２の頂部に頂部材料４０３が縫合されていり、前記頂部材料４０３は所定の縦向き深さを有するので、前片４０１及び後片４０２の間の内部空間を増加させる。従って所定の厚さを有するマッサージ作動部品などを前片４０１及び後片４０２の内部に直接的に縫合することにより、変形、呼び起こすことを防止できる。更に、該頂部材料４０３に放射開口４０４を設置することができる。これによりマッサージ作動部品、電気回路板が作業する場合に生じる熱量を放射する。
【００４９】
前記前片４０１及び前記後片４０２の“Ｖ”形底部に底部材料４０５が縫合されていり、前記底部材料は柔軟な皮革、布料などである。更に底部材料４０５の内にガス嚢が入れて、頚部マッサージの役割を果たす。後布片の内側、マッサージ作動部品に対応する位置に更に防摩パッド４０６を設置されて、摩損を防止作用にする。
【００５０】
本実施例の以上に述べる構造は別々に使用でき、また同時に使用することができる。且つ、以上に述べる各々の実施例に応用することができる。
【００５１】
図１９及び２０に示すように、これは本発明肩・背部マッサージ器の第６実施例である。前記肩・背部マッサージ器の後片５０１の内側に更にバンドボタン構造体が設置されている。前記バンドボタン構造体は、前記肩・背部マッサージ器の全部を使用者の体に結び付けることに用いる。該バンドボタン構造体は、それぞれ“Ｖ“形後片５０１の二つの末端に設置された公スナップ５０２及び母スナップ５０３を含み、前記公スナップ５０２及び母スナップ５０３を掛けることにより、前記“Ｖ”形後片５０１の二つの末端を引き締める。
【００５２】
前記バンドボタン構造体は、更に“Ｖ”形後片５０１の湾曲部に配置されたバックル５０４、及びバックル５０４の末端を通して、マジック・テープ５０５などによって“Ｖ”形後片５０１の末端に固定された弾性バンド５０６、を含む。使用する場合、弾性バンド５０６を使用者の背部に掛けて、肩・背部マッサージ器の全部を使用者の体に結び付ける。図２０に示すように、使用者は手でマッサージ器を持つ必要がなく、手が空けて、使用が便利にする。
【００５３】
前記バンドボタン構造体には、ただ公スナップ５０２及び母スナップ５０３を設置することができる。前記公スナップ５０２及び母スナップ５０３を掛けることにより、前記“Ｖ“形後片５０１の二つの末端を引き締める（図１９Ｂに示すように）。勿論、前記バンドボタン構造体の位置を任意的に調整し、又は他の方式を採用することができる。且つ、本実施例の前記構造は以上の何れか一つの実施例に用いることができる。
【００５４】
図２１に示すように、これは本発明肩・背部マッサージ器の第7実施例である。それは、上に述べる実施例と比べて、次の異なる点がある。キーボタン回路板は独立な制御器６０１に配置され、導線６０２を通じて肩・背部マッサージ器の電子回路板に電気的に接続して、マッサージ作動部品を制御する。肩・背部マッサージ器の電気回路板の机能（例えば変圧、制御等）は直接的に該制御器６０１に実現することができ、しかし肩・背部マッサージ器にただ接続回路を設置すればよい。従って安全性能を提供する。且つ制御器６０１にキーボタン以外にデスプレイ６０３を設置することができる。該デスプレイ６０３は操作情報、例えば、作業モード、作業時間、余り時間、強度などを表示することに用いる。本実施例の他の構造は、以上に掲示された実施例に本質的に同じ、即ちここで贅言をしない。
【００５５】
図２２に示すように、これは本発明肩・背部マッサージ器の第8実施例である。これは、以上に述べる実施例と比べて、次の異なる点がある。キーボタン回路板は独立な制御器２２に配置され、且つ該独立な制御器及び肩・背部マッサージ器の電子回路板にリモート・コントロール発射受理装置が設置される。例えば赤外線リモコン、ブルートゥースリモコンなどで、無線形式によって制御し、使用が便利にする。本実施例の他の構造は、以上に掲示された実施例に本質的に同じ、即ちここで贅言をしない。
【００５６】
図２３に示すように、これは本発明肩・背部マッサージ器の第９実施例である。これは、以上に述べる実施例１と比べて、次の異なる点がある。キーボタン回路板は前片８０１の内側に設置され、且つ前片のキーボタンに対応するパターン８０２に縫って、キーボタンの外側に暴露することを防止するので、更に立派、実用むきになる。本実施例の他の構造は、以上に掲示された実施例に本質的に同じ、即ちここで贅言をしない。
【００５７】
図２４に示すように、これは本発明肩・背部マッサージ器の第１０実施例である。これは、以上に述べる実施例と比べて、次の異なる点がある。前片９０１及び／又は後片は分片縫合式構造体であり、即ち多片の布片、皮革などを縫合して成型する。勿論、前片及び／又は後片はフルスライス式構造体であることができる。本実施例の他の構造は、以上に掲示された実施例に本質的に同じ、即ちここで贅言をしない。
【００５８】
図２５に示すように、これは本発明肩・背部マッサージ器の第１１実施例である。これの特徴は、後片９０２の内側に発光体９０３及び／又はマッサージ玉石９０４を取り付けていり、発光、発熱、マッサージなど作用を有する。
【００５９】
本発明の以上に掲示された特徴が実際必要によって任意的に組み合わせることができ、前記実施例の組み合わせ形式に制限しない。
【符号の説明】
【００６０】
１、４０１、８０１、９０１  前片
３、１０２  配重体取付片
４、１０１、２０４、４０２、５０１、９０２  後片
５、１０８  ジッパ
６、１０３、２０５、３０２  マッサージ作動部品取付袋
２０３  固定片
７  取付片
８  弾力帯
９、１０９  配重体
１１０  防火棉
１０  手柄
１１、１０５、２０１  マッサージ作動部品
１２、１０６、２０２  電子回路板ケース
１０７  作動部品ケース
１５  選択キーボタン
１６  前ケース
１７  電子回路板
１８  後ケース
３０１  支持本体
４０３  頂部材料
４０４  放射開口
４０５  底部材料
４０６  防摩パッド
５０２  公スナップ
５０３  母スナップ
５０４  バックル
５０５  マジック・テープ
６０１、２２  制御器
６０２  導線
６０３  デスプレイ
８０２  パターン
９０３  発光体
【手続補正２】
【補正対象書類名】特許請求の範囲
【補正対象項目名】全文
【補正方法】変更
【補正の内容】
【特許請求の範囲】
【請求項１】
一種の肩・背部マッサージ器であって、その特徴は、支持本体を含み、
前記支持本体は、配重部及びマッサージ部を含み、前記配重部及び前記マッサージ部は、肩部に掛かるように肩部の前後両側に配置され、
前記マッサージ部はマッサージ装置を有し、前記配重部は配重体を有し、前記配重体は前記マッサージ装置の平衡を保つために用いられる、
肩・背部マッサージ器。
【請求項２】
前記支持本体は"Ｖ"形、"Ｕ"形、半環形、弧形又は環形であり、前記配重部は前記支持本体の両側部であり、前記マッサージ部は前記支持本体の湾曲部であり、
前記支持本体は一体式の構造体又は互いに独立した二つの部分から組み合わせて形成される請求項１に記載の肩・背部マッサージ器。
【請求項３】
前記支持本体は前片及び後片を含み、前記前片と前記後片との間は縁部によって直接的に接続され、又は縁取り接続され、
前記配重体及び前記マッサージ装置は、前記前片と前記後片との間に形成された空間に配置され、
前記前片及び前記後片の形状は、"Ｖ"形、"Ｕ"形、半環形、弧形又は環形である請求項２に記載の肩・背部マッサージ器。
【請求項４】
前記前片及び前記後片の間には接合装置が配置され、前記前片及び前記後片の間に形成された空間を開放/密封可能にさせる、請求項３に記載の肩・背部マッサージ器。
【請求項５】
前記前片及び前記後片の間に、配重体取付片が設置されている、請求項３に記載の肩・背部マッサージ器。
【請求項６】
前記配重体は密封された配重袋であり、
前記配重袋に砂、土、ゼラチン、液体、軟シリコンゲル、ゲル、プラスチック、軟シリコーン、ゲルクリーム、金属の一種又は数種が充填され、
前記配重袋と前記配重体取付片の間には、前記配重袋及び前記配重体取付片を接合するための接合装置を有する、請求項５に記載の肩・背部マッサージ器。
【請求項７】
前記マッサージ装置は、前記前片及び前記後片の間に形成された空間に配置される少なくとも一つの作動部品と、前記作動部品を駆動する電子回路板と、前記電子回路板に接続され、前記作動部品の作業モードを選択制御するための選択ボタンと、を含む請求項３に記載の肩・背部マッサージ器。
【請求項８】
前記作動部品は作動部品固定袋の中に設置され、前記作動部品固定袋の縁は前記後片の内側に縫合され、且つ前記作動部品固定袋は自身の内部空間を開放/密封するための接合装置を有する請求項７に記載の肩・背部マッサージ器。
【請求項９】
前記作動部品固定袋は、前記配重体取付片に縫合され、且つ前記作動部品固定袋は自身の内部空間を開放/密封するための接合装置を有する、請求項７に記載の肩・背部マッサージ器。
【請求項１０】
前記作動部品は作動部品保護ケースの内に配置されている、請求項７に記載の肩・背部マッサージ器。
【請求項１１】
前記電子回路板は電子回路板ケースの中に配置され、前記電子回路板ケースは固定片に設置され、前記固定片は前記前片、前記後片または前記配重体取付片の内側に縫合され、前記固定片に前記電子回路板ケースを固定するための接合装置が配置されている、請求項７に記載の肩・背部マッサージ器。
【請求項１２】
前記電子回路板は電子回路板ケースの中に配置され、前記電子回路板ケースは電子回路板ケース固定袋の内に放置され、前記電子回路板ケース固定袋は前記配重体取付片に縫合され、且つ前記電子回路板ケース固定袋にこの内部空間を開放/密封するように用いる接合装置を有し、
前記配重体取付片はワンピース式又は多片式の構造体である、請求項７に記載の肩・背部マッサージ器。
【請求項１３】
前記配重部の下端の両側にそれぞれに開孔が設置され、
前記開孔にマッサージ手柄又は中空ガス嚢装置が設置されている、請求項１に記載の肩・背部マッサージ器。
【請求項１４】
前記前片及び前記後片の頂部に頂部材料が縫合され、前記頂部材料は所定の縦向き深さを有し、及び／又は、
前記前片及び前記後片の間の底部に底部材料が縫合され、
前記底部材料は柔軟な材料及び／又は前記底部材料の内にガス嚢が入れている、請求項３に記載の肩・背部マッサージ器。
【請求項１５】
前記肩・背部マッサージ器は更にバンドボタン構造体を含み、
前記バンドボタン構造体は、前記支持本体の内側に設置されたホック、バックル及び弾性バンドを含む、請求項１に記載の肩・背部マッサージ器。
【請求項１６】
前記選択ボタン及び前記電子回路板は独立な制御器に配置されて、且つ電気方式又は通信方式を通じて前記マッサージ装置に接続され、又は
前記選択ボタンは前記前片に設置されて、前記制御器の内には選択ボタンブザーを有する、請求項７に記載の肩・背部マッサージ器。
【請求項１７】
前記前片及び前記後片の間に、更に耐高温材料及び／又は冷却材料を有する、請求項２に記載の肩・背部マッサージ器。
【請求項１８】
前記後片の外側に更に発光体及び／又はマッサージ玉石が設置されている、請求項２に記載の肩・背部マッサージ器。
【請求項１９】
前記作動部品は電動金槌であり、
前記電動金槌は、底板と、前記底板に固定されている継鉄と、前記継鉄と前記底板との間に設置されてコイルを巻き付けたリールと、コアと、前記コアの前端に配置されているマッサージヘッドを含む、請求項７に記載の肩・背部マッサージ器。
【請求項２０】
前記コアは、複数の鉄片の組み立てによる一体式の鉄片と、隔パッドと、滑り鉄とを含み、且つ前記隔パッドは隣接の前記鉄片と、前記滑り鉄との間に設置されている請求項１９に記載の肩・背部マッサージ器。
【手続補正書】
【提出日】平成23年7月13日(2011.7.13)
【手続補正１】
【補正対象書類名】手続補正書
【補正対象項目名】手続補正３
【補正方法】削除
【補正の内容】
【国際調査報告】
2012500675.tif 000030
2012500675.tif 000031
2012500675.tif 000032
2012500675.tif 000033